(57)【要約】      （修正有）【課題】発展途上国等では治安状態が悪くナイフや銃を持ち歩く人さえいてガードマン、警護職にある人にとっては、非常に危険な状態にあるのでその人々の身を守る防護服を提供する。【解決手段】頭部を保護するため、塩化ビニールパイプ、強化プラスチックなどを素材として鎧、兜などを製作する。又身体を保護するためチョッキにおいては人体重要保護部位の裏側に数枚の和紙、特殊紙を重ねて貼り付ける。表面には、塩ビ、強化プラスチックを貼り付け防弾チョッキとする。【選択図】図１
2006289042.tif 000002
【特許請求の範囲】
【請求項１】
従来に既存する剣道に用いられる防具や、ロケ、映画に用いられる、兜、鎧の類品を、塩化ビニールパイプ他、強化プラスチック等を素材品として用い、大量生産できる様に、これを部材品として用意し、この部材品を組み立てる時、オートメーションで大量の防具、鎧類を生産する事が出来る発明の請求。
【請求項２】
従来に既存する、剣道に用いられる防具や、ロケ、映画に為し、兜に供される部品を現在既存し、土建作業現場に多く用いられている作業用ヘルメットにおいて、本発明される部材品のこれを取り付けて、本目的を果す製品が発明される事への請求。
【請求項３】
同様に厚生地でチョッキ衣を形成した上着を作り、人体重要内蔵保護部位に弾丸が発射された際、対抗できる枚数の和紙、特殊紙等を重ね、これの裏面に使用する他、表面には、π．３１４面を持つ塩化ビニール、若しくは強化プラスチック素部材品を貼り付けた防弾チョッキを発明する請求。
【請求項４】
π．３．１４面を持つ、塩化ビニール、若しくは、強化プラスチック素材で防護盾を作り、その表面若しくは、裏面に発射される弾丸に対抗できる枚数の和紙、不燃紙、若しくは特殊紙を重ねて張り合わせた防弾盾及び、防弾テントを発明する事への請求。
【発明の詳細な説明】
【技術分野】
【０００１】  本発明品は人体、他に供せられる防弾、防護具、防護衣、他に為せられる防護類をして、この目的を以って、従来に発明され続けた、本類品にはなかった製造法、即ち、あらゆる自然界にある外（衝撃）力、外圧を外く、π３．１４線面を持つ曲線を持つ、本発明品には、塩ビ、強化プラスチック軽素材品と真空密度の高い、（和）紙を用いて、これらを製作した時、強力、強靭な防護類品を作る事が出来た。
【背景技術】
【０００２】  特願、２００３−４３６３０８：兜型ヘルメット。特願、２００４−２１７９９２：揚子付マッチ。特願、２００４−３１４７９６：盗聴コンウィルス。特願、２００４−２７８４５７：家具付車両参照されたし。
【発明の開示】
【発明の解決しようとする課題】
【０００１】  筆者は、いつぞえか日本の国政を二分しての昔、大戦争のあった関ヶ原の古戦場を観光に出かけていた。そこで大一、大▲吉▼、大万を旗印に揚げる西軍大将、石田三成本陣の山上に登って、眼下に広がるこの古戦場（盆地）一帯が展望できる所に立った時、こんな狭い所によくも２７万騎もの敵、味方、双軍が、集陣したものだ。と思いながらも、そこには、東西、敵、味方両軍の配陣地図まで示してあり、それを見ると、男型車懸かり、総攻撃進軍体係の東軍に対して、女型の対峙軍団撃滅形、鶴翼布陣を敷く西軍図が描かれているものであった。
【０００２】  学生時代、「戦争論理学法」（戦法）を学んだ事のある筆者にも当然の事ながら、西軍（島左近の知力？）の勝ちが分かるものであった。石田本陣の前部には、信任厚い薩摩陣が旗元親軍となり、一番大切な敵攻撃（前）側面部隊に小早川陣があり、この部隊が戦争のクライマックス時に敵銃砲に脅え、味方を裏切り、敵に寝返り、西軍を大敗に追い込んだ事は日本史では、あまりにも有名な事であった。
【０００３】  親軍、薩摩が敵の出鼻を挫く様に動き出したのは、その時だった。石田本隊の逃亡を伺し、鶴翼全部隊に総攻撃を伺す合図でもあったが、既に西軍全部遂は、統制を失っており、各部隊とも浮き足立ち、これに呼応して動く者は無かった。何故であろうか？動かなければ総括総死する戦場での事であっても、既に全軍団は統率を失っていた。筆者は心理学者でもあり、この現象を（戦争）心理学法において、分析し、大因を突き留めていた。
【０００４】  経済学を含め、戦争心理学法では、一定の（時間、空間、地域にある）集陣地において、そこに集合した、金、物質、人員の総資本のうちから０．０３％の資本を撃滅した場合、資本を失った集陣地は陥落する、戦争論理学法がある時、（本課題の場合、中世の関ヶ原盆地に、集結した２７万人、人員を総資本Ｚとして考えた時、その０．０３％である、８１００人を味方（Ｘ）にした軍隊は勝ちとなり、反対に８，１００人を損失（Ｙ）した軍隊は負け。となったからであった。（特願２００４−３１４７９６参照）
【０００５】「笛吹けど踊らず。」の現象であり、人類（哺乳集団性動物）の深層心理に働く効果が、この様にさせるものであったが、軍法論理に熟知する薩摩軍は竹束を備え（竹や丸味のあるエンビ管は、弓矢、銃弾を外く）、これを前面に押し出し、東軍、大部隊の動く、関ヶ原の激戦地帯に尚も定石となる、車懸かり、突撃移動陣型を編成し、これに乱入し、一途中仙道を目指して、突き進み、ようやく戦場を脱っした時、この大戦は終結していた。薩摩領土も安堵した。
【０００６】  しかしながら、この時、骨肉を切られても得物を振りまわし続ける集団ケンカ殺法、薩摩示現法の強さ殺陣は、後の世、天下に成り響くものとなり、集団時の殺陣の強さは、個人戦対峙剣法に類を得ない程、強くなるものであったが、筆者は、この示現流剣法の剣士であった。しかしながら示現流にも裏と表があり、裏流議は、お留流となった。前記される様に示現流は集団殺法効力を発っするものであって、一撃必殺を狙う、後の北辰一刀流に破れてから、衰退の一途を辿り、その奥議を知る者は、筆者を含め、数えるだけの者となる中、
【０００６】  筆者が本文に、之れを要約して、説明する所、流球空手の動作を剣道に組み込み、刀身を敵の隙ある所に秒速で狙いながら、ボクシングのジャブを打ち間断なく切り付けて行く実戦剣法であった事を説明した時、戦場において未だ、この示現流に勝る剣法は無いものとなった。
【０００７】  筆者は普くもこれを世に伝えようとしたが、本意を内閣府、司法府、マスコミ関係者等は理解できない所となったので、最後に筆者は行政区にある、特許庁様をパートナーに選び、本意とする論文を書き、世に公表したいと思われたからであった。
世界中どこにおいてもこれに関して、人類ある所に戦争の火種は尽きないものであったが、極東において絶対にこれを起こしてはいけない所となった。
【０００８】  筆者は、現在勃発する中東イラク戦争に参陣する日本国政府筋に下記に示す如く、この戦争論理学法を用いて、西側、連合軍の惨敗を注進し続けた所、それは至って簡単な数学計算式で表わされるものであり、現在イラク、バクダットに駐屯する、西側連合国軍の兵力規模を３０万人と仮定し、一定の時間と空間と、これにある地域から比例させる０．０３％づつの人員、物資に対して、確実なる損失が加えられた時、その集陣地は確実に陥落する。定議がある時、日本の防衛庁幕僚庁はこれを知らなかった。（特願、２００４−２７８４５７号、家具付車両参照：日銀、６６０兆円×０．０３％⇒１９８０億円（Ｙ）なる時、ペイオフ、日銀陥落となる。）
【０００９】  本戦争の西軍陣地に在る３０万人軍師団から、０．０３％づつ、即ち９千人（Ｙ）の兵士が、損傷兵員を含め、軍隊離脱する時、これを理論上惨敗と定議し、片やテロリストと呼称される国籍不明軍の損傷を不特定多数（Ｘ）に表わされるものであったが、大概、近隣諸国を含めるＸ国人口に匹敵する人員の０．０３％と推意された。
【００１０】  この軍法論理学を、国内の経済学に置き替えた時、現在の内閣発促時、この総理大臣が「２〜３年の内に６６０兆円ある、日銀の赤字国債を消滅させる。」と、明言するのを筆者が聴き、「出来る。」と考えた。それは６６０兆円の日銀の負債総額をＥ２＝ｎで表わし、負債解消要因（景気回復）をＸで、表わし、負債増員因員（景気低迷）をＹで表わす時、Ｘ＋Ｙ＝Ｚで表わし、筆者が提唱する発明の要員（バリュー）ＡをそれぞれＸ＋Ｙに附加した時、
【００１１】  日銀にあり、Ｅ２＝ｎにある６６０兆円の（負債）の莫大な現金資本（Ｘ）と相殺狙いの大型増税政策を無視し、体たらくする国内にあってあり余る値の付く物資資本（Ｙ）を簿記で吊り合わせ、全世界において、その優秀を誇る日本国民族の頭脳を駆使し、発明Ａ係数を正、負資本、Ｘ＋Ｙに附加し、結論の０．０３％にあるバリュー（発明の価値）がＸに傾むく時、日銀の６６０兆円の負債は一瞬にして消滅するものとなり、現金にかかる一銭の国家予算の経常必要もない中、日本国家国民（企業）が持つ、それぞれの資本（底力となる貯畜力）の中において、想像を越える、バブル経済を起こす事が出来る事を（先に提出される別特許特願、２００４−２１７９９２号、揚子付マッチ参照されたし）１００大マスコミ、他、国家、企業に提唱し続けたものであったが、呼応する者が無かった。≪但し、本作戦戦争は、日本国民民間（郵便局にある）の現金資本が崩れた時無効になる。と推意された。≫軍法論理学（経済学）上にあるＡ系数（０．０３％）の魔力であり、この魔力が人類共通、深層心理に働らく時、現状維持を保とうとする自己催眠、足踏状態が続く所となったからであった。然るにその中にあって、
【００１２】  隣国、中国に爆発的なバブル経済が起こる時、日本国内において、政策方針も定まらず、緊編財政を敷いた時、それは、日本国家の自殺行為となるものであり、初歩なる政治、経済学も分からぬ、国の指導者に無知、無学、無能者が集ってこれに集まり、デタラメな限りの政治経済が敷かれる時、
【００１３】  かつての日本国家は貧しく、有資源の目立ったこれも無かった頃、これらの人々は、飽くまでも、優秀にして、存立する日本国家、民族を誇りとし、その優れた頭脳力を唯一、分かち合う財産として、共有し、我が国の今日の大繁栄を築き上げて来るものであった。現在では国庫に纏まった現金（Ｅ２＝ｎ）が無かっただけの事であり、国の指導者が大騒ぎして、日本国家崩壊の絆に拍車をかける時、これを学識（学問）で理論整然とすれば騒ぐ必要も無かった。
【００１４】  それは、現時点において、日本国家には、赤字国債（兌換券６６０兆円（Ｅ２＝ｎ）在ったとしても、日本国内には、それに匹敵する以上の（兌換物資券）６６０兆円以上の抵当、質券（Ｚ）があり、この質券（Ｚ）に対して当てがわれる抵当物件が人気が無く（全世界、ざらにある。）既存し、値打ちの低い物である時、この抵当物件はＹ物件と呼ばれ、デフレを起こすデフレ物資と呼ばれ、反対に、この質券（Ｚ）に当てがわれる抵当物件に発明、発案（係数Ａ：０．０３％）が与えられ、同じ品であっても、人気が高く（全世界に見られない）既存しない値打ちの付く物となる時、この抵当物件は、Ｘ物件と呼ばれ、インフレ物資と呼ばれ、国内にある円造幣出力では間に合わなくなり、質券（これが株券の正体：係数Ａ：０．０３％となる）が、大量に高価を付けて、国内に出回る時、バブル経済は国内に何度でも起こり、この債券を国（特許庁、経済企画庁）が管理する、行財政改革が有能な政治力によって取り行われれば、
【００１５】  国庫が潤い、国民に還元され、米国、欧州、ロシア、中国にある超大国の狭間に取り残され、これらに阿ねる事なく、無限に在る日本人の知力は、膨大な現金収入への道として開かれ、不遍のものとなるものであり、新日本国家建立の偉人達が提唱し続けた「学問で国政を建て治そう！」とする不変の哲学は、日本国民共有のものとなった。
【発明を実施する最良の形態】
【００１６】  本発明品は、人体に供し、これにかけられるあらゆる外力から身を守る事を科学的見地、数式から、考案される事において、人体に一定に加えられる暴力（強力）に対しての防御力（防率）は、円周率（π）３．１６にある事を発見し、仮に、木刀、竹刀でひっ張かれる剣道の胴防具、他、あらゆる所から飛弾する、ピストルの弾丸に対しても、防具の表面のあらゆる所に３．１６πにおける表面積に関する曲線面がある時、この曲線面の持つ力は、例いそこに何十万トンの力量が加わろうとも、π×ｘ（円周率の持つ表面積分）だけ、害力（外直線力）を、大概１／３．１４分率に分散させる以上の力学が働らく事が本件論文で発明される時、本発明品あらゆる物にπ分の曲線面を持たせると、理想のものとなり、（直線（ベクトル）力量×耐圧面積）÷（π×ｘ）の計算式で害力が表わされるものとなり、仮りに、
【００１７】  船のへ先に船の全長値／３．１４⇒直径３．１４πの球線面率のボール状の推進波切り器を取り付けると、この船の喫水総面積下にかかる総水圧をいかなるトン数にある物であっても三次元効力がこれに働らく時、抗力を１／３．１４分率に分散させる力量が働き、四次元効力（プロペラ推進力）がこれに加わる時、抗力は日となり、五次元効力がこれに生じる時、計算される等分カロリーの推進力を船のへ先に生じさせる事となる。（但し、この場合推進出力角度６０°を理想とするものの角度は無視。）
【００１８】  それ故、宇宙ロケット開発事業団に製造されるロケットの尖頭部には、３．１４π球線面が必しも用いられる事が理想であり、ボールペンは変わず所、万年筆のへ先や、一〜二次元移行する物から、三〜六時限移動（筆者は六次限函数関発中）するボーリング掘削器にこれが用いられる時、あらゆる害力が推進力を以ってこれに加わった時、θになる、四次、効果があったからであり、（但しこの場合、製作素材の持つ耐圧力は無視）
【００１９】  筆者は小学生並びに大学生に「鉄１ｇと紙１ｇは果してどちらが重い物か？」とよく質問する事があったが、冷静判断する者は、「同量。」と答えていた。そこで筆者は質問を続ける事、「密着した１ｍ２の紙１００ｋｇと鉄１００ｋｇの真空密度は、どちらが高いか？」とした時、大概の人達は冷静な判断を失っていた。
【実施例】
【００２０】  本発明論文の主眼点は、ここにあった。答えは紙に軍配が揚がり、長く続いた暑地ベトナム戦争、中東戦場において実証される戦車に厚重ねの紙をこれに巻き付けると、対戦車砲弾を貫通させない程の効力があり、レーザ光線、他、火炎ビン攻撃にも強くなった。最高軍事機密であった。紙を貼り合わせる不燃ノリの開発が機密事項であった。（特願２００５−      号、陣羽織参照されたし）【００２１】  日本の和紙（一万円礼）２５〜１００枚で、ピストルの弾丸を貫通せず、２５０〜３３０枚で、機関式銃の弾丸を貫通せず、枚数を重ねると対戦車砲弾さへの貫通しなくなる、軽重量防護紙が何故そうなるのか？という科学計算式に携わっていた筆者は、これをして例えに揚げる時、現在対戦車砲に使われる出力エネルギーを光粒子（換算する熱量：Ｃａｌ）をＸとし、それに対抗する戦車の胸板が、持つ鉄の真空密度数（Ｙ）が高いと砲弾は貫通しませんが、真空密度（Ｙ）が低いと貫通します。【００２２】  即ち、真空密度数はｍｃで表わし、光が物質を通過する時の距離を言い、光が同質量（この場合）紙と鉄にある物質真空空間を通過する際の光が消失する地点までの距離を言い、光は、消失する際、そこで同量の熱量を発っし、反対に熱量が光に変換（摂氏１００℃、化変地帯）する地点の事であり、和紙は、同質量分の鉄分子より、真空密度が高く、真空密度の高い物質は、物理的に強靭物質と言われた。【００２３】  筆者は柔道、空手を嗜み、そしてこの示現流剣法を学生達に教えていた事があった。一撃必殺剣法を主流とする現代の剣道剣法しかしらない者達には、目を背けるものとなった。然るにその示現法剣法の極意とは、自身の骨肉を構わず、攻撃のみ第一有先し、有無を言わせず、相手に切りかかり、相手が倒れても、動かなくなるまで、次続、後続する部隊員が、これに切りかかり続けるものであったので、前記、関ヶ原激戦場において、薩摩軍の通過した後には、ミンチ肉となった敵、味方（動けない者は殺す。）の死体が、類々と横たわっているのを見た東軍陣兵の者達は、後々に至っても、薩摩への追討軍を起こす事を拒む結果となったものであった。鎧も兜もズタズタになっていた。【００２４】  筆者は護身（ガードマン）職もやった事があった。自信があったからであった。刃物を振り回わす暴漢に対峙する時程、実戦向きの示現流剣道の訓練が役立つものがなかったからであった。ところが、この示現流剣道（訓練）であったが、その様に所構わず、相手の急所、隙を見い出しては、ジャブ打ちし続ける事を必要とする竹刀で、従来から日本国に存在するタル木で出来、ウルシ塗りされた防具品を用いて打ち込みし続けた時、これでは、痛みも激しく持たなかった。【００２５】  第一これ一式買って、練習生に貸与するにしても、金がかかり、その補修費も模大であり、剣道愛好家、学生達にも多く買って当える事は学校側の負担にもなり剣道そのものの普及にもコスト高が原因し、これを拒み続けた時、
【課題を解決する手段】
【００２６】  本発明が起こった。その発明品とは、剣道防具一式を現在、土木建設業にある人員が当り前の様に使用している強靭な俗称、ドカタ、ヘルメットで兜を作り、胴防具は道路工事、他、水道工事で使用され、普及し続けている所の塩化ビニールパイプ他、紙製パイプを防具の型に切って製作し、キジ、鎧でつなぎ合わせ、吹き付けペイントした時、格好の物となり、製作コストを下げ、補修費もかからず、製造技術変更時、
【００２７】  ピストルの弾丸さへ外く、強靭な剣道練習用防具を大量に製作でき、多くの学生達に買い当え、剣道普及人口の増加にも役立つ事が出来、これら素材に更に小細工を加えると、警察、軍隊、警備会社の防護着にもなるものであった。
【発明の効果】
【００２８】  その本発明品の強靭さにおける立証実験では、現在日本の警察が使用するナンブ式拳銃の弾丸を１２０発、射程距離内で射ち込む、実験をしても、１２０％貫通せず、外じき返す所となり、一般人が、この強度実験を手軽に行使するには、フライパンさへも簡単に射抜く、アーチェリーの矢を、本発明品に射程距離で射ち込む実験をし、１２０％これに貫通せず、外かれる事で、すぐに分かる所となります。
（但し、実験素材品の改良と、これの増副により、手榴弾、マグナム弾、ライフル弾の貫通もなくなりますが跳弾による危険注意が必要となった。）
【００２９】  その他、剣道有段者による練習時の殴打実験の結果、従来に既存する日本の剣道防具をこれに着て受ける衝撃力に比べて、遥かに軽減される物となり、これを装身する人体の安全を頑強に保護するものとなり、低コスト大量生産が出来、補修の際には、好みのラッカースプレーをすると、いつまでも、半永久的に新品同様において、低価格で補修できるものとなった。
【００３０】  戦争論理学法（政治経済学：戦法）に話しを戻してみたい。それ故、本論文発表時における今期、国会は小泉内閣であり、頭初は有能に思えた所において、筆者は現内閣国会ＮＨＫ中継放送中、これに割り込み、本総理に三つのコーチを仕掛けたが、一切これに聴かず、全て反対の事をしたので、コーチを中止し、今、相手にしていない。
【００３１】  その内容とは、「学問で国政を建て治す。」事、「国庫財政難（破綻）時、緊縮財政、政策は危険。」事、「国庫資金再編成政策は現金主義思想（Ｘ）では無い。」事をして、国内にあり余る現金に替わる抵当物資（Ｙ：これらは値崩しを起こしている。）に発明を加え優秀なる日本国民族の手先の器用さと、その頭脳を用いて、次世代に残る、メードインチャイナーの総生産物質を上回わる優れた生産物資を如何に低コスト、オートメーションを以って、スピーディーにし、それらの収益を図り、国庫を潤おし、極東の黄金の国、ジパングの大繁栄を起こす事を願うる所となり、これをして、
【００３２】  光粒子は、物理空間（物質の真空空間）を原子間において通過する際、この場合、光粒子により、物質が電子量を飽和する時、これをＺ価位置まで水素原子と共に外き出し、物質の表面に近い所に酸素原子を残こし、これに化変温度が加わる時、発火（酸化）現象が起こり、この物質の真空密度が高ければ高い程、発火（酸化）位は、Ｚ高位置まで膨れ上がり、酸化爆力の違大な物となります。⇒光粒子爆発理論：万有爆力の法則。
【００３３】  立証実験は、戦車の胸板、防弾盾、防弾チョッキ類に、本発明和紙を不燃ノリを用いて、厚重ねし、これらに貼り付けた所、ピストル、機関銃弾、砲戦、火炎放射器、レーザー光線等を貫通しない防護紙類となるなる物であり、（特願２００４−３１４７９６、盗聴コンウィルス防止器参照）研究実験を得るべく、
【００３４】  筆者はインド、アフリカ暑地、長期滞在時、車上生活を長くし、本発明、厚重ねの防護紙で車両の鉄板部を覆い、カーテンを作り、そこに生活圏を作った所、車両の鉄板を日照熱から守り、車両本体、生活空間、車両搭載電子器機の保護に役立つ物となった。即ち、この和紙貼付間に隙間があり、これに光粒子を通過させる要因がある時、和紙は脆くも、酸化、若しくは、光粒子（爆）燃発火現象を起こす所となった。
【産業上の利用の可能性】
【００３５】  かって、米、ニューヨークを観光の為、視察滞在した事があった。人々の日常の着衣する襟カラーの色合いを見た。そして夜るになると、爆竹の音がしていた。「発砲事件だ！治安が悪い。外に出ないで下さい。」と人々が話しをしていた。日本に居た時には、考えられない事であった。当時、日本は一億二千万人総中流意識だったからであった。筆者は、柔道、空手、剣道の有段であり、銃を向けられても防護具が手軽であり、手短な所にあれば対処できる。と考えた。
【００３６】  しかしながら、これを世界的によく知られており、あまり知られていない日本の和紙（一万円礼）で製作した時、その丈夫さは、例いバズーカー砲の弾丸さへ貫通させず、レーザービーム、機関砲弾、火炎放射の炎さへ受け付けない強尽な物である事を発見し、π３．１４の円周曲面線を持つ塩化ビニールパイプに貼り付けた時、意外な効果がある事を見い出し、これらの物は、低コスト、大量生産が可能になるものであって、本論文に示される大概の武具に対して、バリアールーフとしての活用と目的を得る物となり、剣道の防具に用いた場合、安価格防具を大量生産できる（本図１参照）所、日本の剣道発展に多いに貢献でき、軍隊（自衛隊）盾に用いた時、その軽量物にある安価大量製産を可能とし、防弾チョッキにも使用できる時、治安の悪さは、やがて日本にも上陸していた。これを以って産業上利用の価値は極めて高いものとなった。
【図面の簡単な説明】
【００３７】
【図１】  日本の剣道の防具を比較的大きめの塩化ビニール管をスクラップ（部品）にして、厚生地でつなぎ合わせて製作する他、これに和紙若しくは、特殊紙を貼り合わせて作る時、防弾衣となり、土方に用いるヘルメットにこれらスクラップを以って、取りつなぎ兜を製作し、上下を製作し、好みのペイントをする時、日本をして、中世時代の鎧兜及び盾とそっくりの物品が出来る事を示している、
【００３８】
【図２】  戦車の弱点である、ターン、テーブル、キャタピラーを本発明品の盾が、火炎ビン、対戦車砲から、これを守っている図と、前戦地において、本発明盾が、機関銃弾を外き返えしている図。そして、盾不要時には、これが、砲弾除け（テント）になっている事を示している図であった。
【附号の説明】
１．剣道防具の胴（前）。２．剣道防具の胴（後）３．剣道防具の小脇（胴前と胴後の繋）。４．剣道防具の肩当。５．剣道防具の肩当て（鎖）キジ繋ぎ。（鎖で繋いでもよい。）６．剣道頚防具。７．剣道上腕防具。８．剣道下腕防具。９．検道草摺（前）であり、キジ若しくは、鎖で繋いで製作。１０．草摺（横）。１１．草摺（後）。１２．上下小手繋鎖。１３．ひじ当。１４．防弾チョッキ正面図。１５．防弾チョッキ前、後、開閉図。１６．３．１４π線面を持つ塩化ビニール。１７．防弾チョッキの内側、腹部、背部に必要に応じ、弾丸の貫通しないだけの絶対数の和紙（一万円札素材紙）を厚重ねにして入れる。１８．既市販される土方ヘルメット。１９．シコロ、剣道後頭防具、別特願：２００３−４３６３０８号。兜型ヘルメット参照）。２０．面（顔面防具、２００３−４３６３０８号）２１．眼面防具（強化プラスチック、２００３−４３６３０８号）  ２２．金網眼面防具。２３．π３．１４線面を持つ強化プラスチック。２４．必要に応じ弾丸を貫通しないだけの絶対数の和紙。２５．盾重ね吊り具。２６．テント取付け穴。２７．テント  ２８．特殊警棒式、盾立器。２９．ターン、テーブル。３０．キャタピラー駆動機（オイル、パイプがある為、燃え易い。）。３１．塹壕。３２．対戦車砲。３３．生活用水。３４．盾を生活用水入れにする為の強化プラスチックノリ。３５．３．１４πを持つ盾を容器にする素材。３６．対戦車砲弾。３７．破弾。３８．和紙。３９．爆発  ４０．盾脚  ４１  軍法論理学、小学、陸上戦にある戦車機甲隊に護衛歩兵付の義務においては、戦車のアキレス腱にある火炎ビ攻撃にあった際、一般人には、あまり、知られてはいない強緊に見える戦車のターンテーブル、キャタピラー駆動部に火炎ビンを打ち付けられると、詭くも戦車は大破してしまう欠点から、この部位に本発明される、強化プラスチック、塩ビ製盾を重ね掛けして移動すると、この危険から守られ、野営地において、バリケードになるものであった。４２．塩ビ管を切って製作する肩当。４３．塩ビ管を切って製作する胴（前）。４４．塩ビ管を切って製作する銅（後）。４５．塩ビ管を切って製作する盾。４６．塩ビ管を切って製作する突き防止板。４７．徴象。４８．剣道使用時、ヘルメットを保護するバンパー。４９．厚生地。
【図１】
2006289042.tif 000003
【図２】
2006289042.tif 000004
【手続補正書】
【提出日】平成17年4月11日(2005.4.11)
【手続補正１】
【補正対象書類名】明細書
【補正対象項目名】全文
【補正方法】変更
【補正の内容】
【発明の詳細な説明】
【技術分野】
【０００１】  本発明品は人体、他に供せられる防弾、防護具、防護衣、他に為せられる防護類をして、この目的を以って、従来に発明され続けた、本類品にはなかった製造法、即ち、あらゆる自然界にある外（衝撃）力、外圧を外く、π３．１４線面を持つ曲線を持つ、本発明品には、塩ビ、強化プラスチック、軽素材品と真空密度の高い、（和）紙を用いて、これらを製作した時、強力、強靱な防護類品を作る事が出来た。
【背景技術】
【０００２】特願、２００３−４３６３０８：兜型ヘルメット。特願２００４−２１７９９２：楊子付マッチ。特願２００４−３１４７９６：盗聴コンウィルス。特願、２００４−２７８４５７：家具付車両参照されたし。
【発明の開示】
【発明の解決しようとする課題】
【０００１】  筆者は、いつぞえか日本の国政を二分しての昔、大戦争のあった関ヶ原の古戦場を観光に出かけていた。そこで大一、大吉、大万を旗印に揚げる西軍大将、石田三成本陣の山上に登って、眼下に広がるこの古戦場（盆地）一帯が展望できる所に立った時、こんな狭い所によくも２７万騎もの敵、味方、双軍が集陣したものだ。と思いながらも、そこには、東西、敵、味方両軍の配陣地図まで示してあり、それを見ると、男型車懸かり、総攻撃進軍体係の東軍に対して、女型の対峙軍団撃滅形、鶴翼布陣を敷く西軍図が描かれているものであった。
【０００２】  学生時代、「戦争論理学法」（戦法）を学んだ事のある筆者にも当然の事ながら、西軍（島左近の知力？）の勝ちが分かるものであった。石田本陣の前部には、信任厚い薩摩陣が旗元親軍となり、一番大切な、敵攻撃（前）側面部隊に小早川陣があり、この部隊が戦争のクライマックス時に敵
2006289042.tif 000005
【０００３】  親軍、薩摩が敵の出鼻を挫く様に動き出したのは、その時だった。石田本隊の逃亡を伺し、鶴翼全部隊に総攻撃を伺す合図でもあったが、既に西軍全部隊は、統制を失っており、各部隊とも浮き足立ち、これに呼応して動く者は無かった。何故であろうか？動かなければ総括総死する戦場での事であっても、既に全軍団は統率を失っていた。筆者は心理学者でもあり、この現象を（戦争）心理学法において、分析し、大因を突き留めていた。
【０００４】  経済学を含め、戦争心理学法では、一定の（時間、空間、地域にある）集陣地において、そこに集合した、金、物質、人員の総資本のうちから０．０３％の資本を撃滅した場合、資本を失った集陣地は陥落する、戦争論理学法がある時、（本課題の場合、中世の関ヶ原、盆地に、集結した２７万人、人員を総資本Ｚとして考えた時、その０．０３％である、８１００人を味方（Ｘ）にした軍隊は勝ちとなり、反対に８、１００人を損失（Ｙ）した軍隊は負け。となったからであった。（特願２００４−３１４７９６参照）
【０００５】「笛吹けど踊らず。」の現象であり、人類（哺乳集団性動物）の深層心理に働く効果が、この様にさせるものであったが、軍法論理に熟知する薩摩軍は竹束を備え（竹や丸味のあるエンビ管は、弓矢、銃弾を外く）、これを前面に押し出し、東軍、大部隊の動く、関ヶ原の激戦地帯に尚も定石となる車懸かり、突撃移動陣型を編成し、これに乱入し、一途中仙道を目指して、突き進み、ようやく戦場を脱っした時、この大戦は終結していた。薩摩領土も安堵した。
【０００６】  しかしながら、この時、骨肉を切られても得物を振りまわし続ける集団ケンカ殺法、薩摩示現法の強さ殺陣は、後の世、天下に成り響くものとなり、集団時の殺陣の強さは、個人戦対峙剣法に類を得ない程、強くなるものであったが、筆者は、この示現流剣法の剣士であった。しかしながら示現流にも裏と表があり、裏流儀は、お留流となった。前記される様に示現流は集団殺法効力を発っするものであって、一撃必殺を狙う、後の北辰一刀流に破られてから、衰退の一途を辿り、その奧議を知る者は、筆者を含め、数えるだけの者となる中、
筆者が本文に、之れを要約して、説明する所、流球空手の動作を剣道に組み込み、刀身を敵の隙ある所に秒速で狙いながら、ボクシングのジャブを打ち間断なく切り付けて行く実戦剣法であった事を説明した時、戦場において未だ、この示現流に勝る剣法は無いものとなった。
【０００７】  筆者は普くもこれを世に伝えようとしたが、本意を内閣府、司法府、マスコミ関係者等は理解できない所となったので、最後に筆者は、行政区にある特許庁様をパートナーに選び、本意とする論文を書き、世に公表したいと思われたからであった。
世界中どこにおいてもこれに関して、人類ある所に戦争の火種は尽きないものであったが、極東において絶対にこれを起こしてはいけない所となった。
【０００８】  筆者は、現在勃発する中東イラク戦争に参陣する日本国政府筋に下記に示す如く、この戦争論理学法を用いて、西側、連合軍の惨敗を注進し続けた所、それは至って簡単な、数学計算式で表されるものであり、現在イラク、バクダットに駐屯する、西側連合国軍の兵力規模を３０万人と仮定し、一定の時間と空間と、これにある地域から比例させる０．０３％づつの人員、物質に対して、確実なる損失が加えられた時、その集陣地は確実に陥落する。定議がある時、日本の防衛庁幕僚庁はこれを知らなかった。（特願．２００４−２７８４５７号、家具付車両参照：日銀、６６０兆円×０．０３％⇒１．９８兆円（Ｙ）なる時、ペイオフ、日銀陥落となる。）
【０００９】  本戦争の西軍陣地に在る３０万人軍師団から、０．０３％づつ、即ち９千人（Ｙ）の兵士が、損傷兵員を含め、軍隊離脱する時、これを理論上惨敗と定議し、片やテロリストと呼称される国籍不明軍の損傷を不特定多数（Ｘ）に表わされるものであったが、大概、近隣諸国を含めるｘ国人口に匹敵する人員の０．０３％と推意された。
【００１０】  この軍法論理学を、国内の経済学に置き替えた時、現在の内閣発促時、この総理大臣が「２〜３年の内に６６０兆円ある、日銀の赤字、国債を消滅させる。」と、明言するのを筆者が聴き、「出来る。」と考えた。それは６６０兆円の日銀の負債総額をＥ２＝ｎで表わし、負債解消要因（景気回復）をｘで、表わし、負債増員因数（景気低迷）をＹで表わす時、Ｘ＋Ｙ＝Ｚで表わし、筆者が提唱する発明の要員（バリュー）ＡをそれぞれＸ＋Ｙに附加した時、
【００１１】  日銀にあり、Ｅ２＝ｎにある６６０兆円の（負債）の莫大な現金資本（Ｘ）と相殺狙いの大型増税政策を無視し、体たらくする国内にあって、あり余る値の付く物資資本（Ｙ）を簿記で吊り合わせ、全世界において、その優秀を誇る日本国民族の頭脳を駆使し、発明Ａ係数を、正、負資本、Ｘ＋Ｙに附加し、結論の０．０３％にあるバリュー（発明の価値）がＸに傾むく時、日銀の６６０兆円の負債は一瞬にして消滅するものとなり、現金にかかる一銭の国家予算の経常、必要もない中、日本国家国民（企業）が持つ、それぞれの資本（底力となる貯蓄力）の中において、想像を越える、バブル経済を起こす事が出来る事を（先に提出される別特許  特願．２００４−２１７９９２号、楊子付マッチ参照された（  ）１００大マスコミ、他、国会、企業に提唱し続けたものであったが、呼応する者が無かった。（（但し、本作戦戦争は、日本国民民間（郵便局にある）の現金資本が崩れた時無効になる。と推意された。））軍法論理学（経済学）上にあるＡ系数（０．０３％）の魔力であり、この魔力が人類共通、深層心理に働らく時、現状維持を保とうとする自己催眠、足踏状態が続く所となったからであった。然るにその中にあって、
【００１２】  隣国、中国に爆発的なバブル経済が起こる時、日本国内において、政策方針も定まらず、緊縮財政を敷いた時、それは、日本国家の自殺行為となるものであり、初歩なる政治、経済学も分からぬ、国の指導者に無知、無学、無能者が集ってこれに集まり、デタラメな限りの政治経済が敷かれる時、
【００１３】  かつての日本国家は貧しく、有資源の目立ったこれも無かった頃、これらの人々は、飽くまでも、優秀にして、存立する日本国家、民族を誇りとし、その優れた頭脳力を唯一、分かち合う財産として、共有し、我が国の今日の大繁栄を築き上げて来るものであった。現在では国庫に纏まった現金（Ｅ２＝ｎ）が無かっただけの事であり、国の指導者が大騒ぎして、日本国家崩壊の絆に拍車をかける時、これを学識（学問）で理論整然とすれば騒ぐ必要の無かった。
【００１４】  それは、現時点において、日本国家には、赤字国債（兌換券６６０兆円（Ｅ２＝ｎ）在ったとしても、日本国内には、それに匹敵する以上の（兌換物資券）６６０兆円以上の抵当、質券（Ｚ）があり、この質券（Ｚ）に対して、当てがわれる抵当物件が人気が無く（全世界、ざらにある。）既存し、値打ちの低い物である時、この抵当物件はＹ物件と呼ばれ、デフレを起こす、デフレ物資と呼ばれ、反対に、この質券（Ｚ）に当てがわれる抵当物件に発明、発案（係数Ａ：０．０３％）が与えられ、同じ品であっても、人気が高く（全世界に見られない）既存しない値打ちの付く物となる時、この抵当物件はＸ物件と呼ばれ、インフレ物資と呼ばれ、国内にある円造幣出力では間に合わなくなり、質券（これが株券の正体：係数Ａ：０．０３％となる）が、大量に高価を付けて、国内に出回る時、バブル経済は国内に何度でも起こり、この債権を国（特許庁、経済企画庁）が管理する、行財政改革が有能な政治力によって取り行われれば、
【００１５】  国庫が潤い、国民に還元され、米国、断州、ロシア、中国にある超大国の狭間に取り残され、これらに阿ねる事なく、無限に在る日本人の知力は、膨大な現金収入への道として開かれ、不遍のものとなるものであり、新日本国家建立の偉人達が提唱し続けた「学問で国政を建て治そう！」とする不変の哲学は、日本国民共有のものとなった。
【発明を実施する最良の形態】
【００１６】  本発明品は、人体に供し、これにかけられるあらゆる外力から身を守る事を科学的見地、数式から、考案される事において、人体に一定に加えられる暴力（強力）に対しての防御力（防率）は、円周率（π）３．１６にある事を発見し、仮に、木刀、竹刀でひっ張かれる剣道の胴防具、他、あらゆる所から飛弾する、ピストルの弾丸に対しても、防具の表面のあらゆる所に３．１６πにおける表面積に関する曲線面がある時、この曲線面の持つ力は、例いそこに何十万トンの力量が加わろうとも、π×ｘ（円周率の持つ表面積分）だけ、害力（外直線力）を、大概１／３．１４分率に分散させる以上の力学が働らく事が本件論文で発明される時、本発明品あらゆる物にπ分の曲線面を持たせると、理想のものとなり、（直線（ベクトル）力量×耐圧面積）÷（π×ｘ）の計算式で害力が表わされるものとなり、仮りに、
【００１７】  船のへ先に船の全長値／３．１４⇒直径３．１４πの球線面率のボール状の推進波切り器を取り付けると、この船の喫水総面積下にかかる総水圧をいかなるトン数にある物であっても三次元効力がこれに働らく時、抗力を１／３．１４分率に分散させる力量が働き、四次元効力（プロペラ推進力）がこれに加わる時、抗力はθとなり、五次元効力がこれに生じる時、計算される等分カロリーの推進力を船のへ先に生じさせる事となる。（但し、この場合推進出力角度６０°を理想とするものの、角度は無視。）
【００１８】  それ故、宇宙ロケット開発事業団に製造されるロケットの尖頭部には、３．１４π球線面が必しも用けられる事が理想であり、ボールペンは変わず所、万年筆のへ先や、一〜二次元移行する物から、三〜六次限移動（筆者は、八次限函数関発中）するボーリング掘削器にこれが用いられる時、あらゆる害力が推進力を以ってこれに加わった時、θになる、四次、効果があったからであり、（但し、この場合、製作素材の持つ耐圧力は無視）
【００１９】  筆者は小学生並びに大学生に「鉄１ｇと紙１ｇは果してどちらが重い物か？」とよく質問する事があったが、冷静判断する者は、「同量。」と答えていた。そこで筆者は質問を続ける事、「密着した１ｍ２の紙１００ｋｇと鉄１００ｋｇの真空密度は、どちらが高いか？」とした時、大概の人達は冷静な判断を失っていた。
【実施例】
【００２０】  本発明論文の主眼点は、ここにあった。答えは紙に軍配が揚がり、長く続いた暑地ベトナム戦争、中東戦場において実証される戦車に厚重ねの紙をこれに巻き付けると、対戦車砲弾を貫通させない程の効力があり、レーザ光線、他、火炎ビン攻撃にも強くなった。最高軍事機密であった。
紙に貼り合わせる不燃ノリの開発が機密事項であった。（特願２００５−    号、陣羽織参照されたし）【００２１】  日本の和紙（一万円札）２５〜１００枚で、ピストルの弾丸を貫通せず、２５０〜３３０枚で、機関式銃の弾丸を貫通せず、枚数を重ねると対戦車砲弾さへの貫通しなくなる、軽重量防護紙が何故そうなるのか？という科学計算式に携わっていた筆者は、これをして例えに揚げる時、現在対戦車砲に使われる出力エネルギーを光粒子（換算する熱量：Ｃａｌ）をｘとし、それに対抗する戦車の胸板が持つ鉄の真空密度数（Ｙ）が高いと砲弾は貫通しませんが、真空密度（Ｙ）が低いと貫通します。【００２２】  即ち、真空密度数はｍｃで表わし、光が物質を通過する時の距離を言い、光が同質量（この場合）紙と鉄にある物質真空空間を通過する際の光が消失する地点までの距離を言い、光は、消失する際、そこで同量の熱量を発っし、反対に熱量が光に変換（摂氏１００℃、化変地帯）する地点の事であり、和紙は、同質量分の鉄分子より、真空密度が高く、真空密度の高い物質は、物理的に強靱物質と言われた。【００２３】  筆者は柔道、空手を嗜み、そしてこの示現流剣法を学生達に教えていた事があった。一撃必殺剣法を主流とする現代の剣道剣法しかしらない者達には、目を背けるものとなった。然るにその示現流剣法の極意とは、自身の骨肉を構わず、攻撃のみ第一有先し、有無を言わせず、相手に切りかかり、相手が倒れても、動かなくなるまで、次続、後続する部隊員が、これに切りかかり続けるものであったので、前記、関ヶ原激戦場において、薩摩軍の通過した後には、ミンチ肉となった敵、味方（動けない者は殺す。）の死体が、類々と横たわっているのを見た東軍陣兵の者達は、後々に至っても、薩摩への追討軍を起こす事を拒む結果となったものであった。鎧も兜もズタズタになっていた。【００２４】  筆者は護身（ガードマン）職もやった事があった。自信があったからであった。刃物を振り回わす暴漢に対峙する時程、実戦向きの示現流剣道の訓練が役立つものがなかったからであった。ところが、この示現流剣道（訓練）であったが、その様に所構わず、相手の急所、隙を見い出しては、ジャブ打ちし続ける事を必要とする竹刀で、従来から日本国に存在するタル木で出来、ウルシ塗りされた防具品を用いて打ち込みし続けた時、これでは、痛みも激しく持たなかった。【００２５】  第一、これ一式買って、練習生に貸与するにしても、金がかかり、その補修費も模大であり、剣道愛好家、学生達にも多く買って当える事は学校側の負担にもなり、剣道そのものの普及にもコスト高が原因し、これを阻み続けた時、
【課題を解決する手段】
【００２６】  本発明が起こった。その発明品とは、剣道防具一式を現在、土木建設業にある人員が当り前の様に使用している強靱な俗称、ドカタ、ヘルメットで兜を作り、胴防具は道路工事、他、水道工事で使用され、普及し続けている所の塩化ビニールパイプ他、紙製パイプを防具の型に切って製作し、キジ、鎖でつなぎ合わせ、吹き付け、ペイントした時、格好の物となり、製作コストを下げ、補修費もかからず、製造技術変更時、
【００２７】  ピストルの弾丸さへ外く、強靱な剣道練習用防具を大量に製作でき、多くの学生達に買い当え、剣道普及人口の増加にも役立つ事が出来、これら素材に更に小細工を加えると、警察、軍隊、警備会社の防護着にもなるものであった。
【発明の効果】
【００２８】  その本発明品の強靱さにおける立証実験では、現在、日本の警察が使用するナンブ式拳銃の弾丸を１２０発、射程距離内で射ち込む、実験をしても、１２０％貫通せず、外じき返す所となり、一般人が、この強度実験を手軽に行使するには、フライパンさへも簡単に射抜く、アーチェリーの矢を、本発明品に射程、距離で射ち込む実験をし、１２０％これに貫通せず、外かれる事で、すぐに分かる所となります。
（但し、実験素材品の改良と、これの増副により、手留弾、マグナム弾、ライフル弾の貫通もなくなりますが跳弾による危険注意が必要となった。）
【００２９】  その他、剣道有段者による練習時の殴打実験の結果、従来に既存する日本の剣道防具をこれに着て受ける衝撃力に比べて、遙かに軽減される物となり、これを装身する人体の安全を頑強に保護するものとなり、低コスト大量生産が出来、補修の際には、好みのラッカースプレーをすると、いつまでも、半永久的に新品同様において、低価格で補修できるものとなった。
【００３０】  戦争論理学法（政治経済学：戦法）に話しを戻してみたい。それ故、本論文発表時における今期、国会は小泉内閣であり、頭初は有能に思えた所において、筆者は現内閣国会ＮＨＫ中継放送中、これに割り込み、本総理に四つのコーチを仕掛けたが、一切これに聴かず、全て反対の事をしたので、コーチを中止し、今、相手にしていない。
【００３１】  その内容とは、「学問で国政を建て治す。」事、「国庫財政難（破綻）時、緊縮財政、政策は危険。」事、「国庫資金再編成政策は現金主義思想（Ｘ）では無い。」事をして、国内にあり余る現金に替わる抵当物資（Ｙ：これらは値崩しを起こしている。）に発明を加え、優秀なる日本国民族の手先の器用さと、その頭脳を用いて、次世代に残る、メードインチャイナーの総生産物資を上回わる優れた生産物資を如何に現、低コスト、オートメーションに乗せスピーディにし、それらの収益を計り、国庫を潤おし、極東の黄金の国ジパングの大繁栄を願う時、これをして、「景気回復最優先」を大前堤にする。
【００３２】  光粒子は、物理空間（物質の真空空間）を原子間において通過する際、この場合、光粒子により、物質が電子量を飽和する時、これをＺ価位置まで水素原子と共に外き出し、物質の表面に近い所に酸素原子を残こし、これに化変温度が加わる時、発光（酸化）現象が起こり、この物質の真空密度が高ければ高い程、発火（酸化）位は、Ｚ高位置まで膨れ上がり、酸化爆力の偉大な物となります。⇒光粒子爆発理論：万有爆力の法則。
【００３３】  立証実験は、戦車の胸板、防弾盾、防弾チョッキ類に、本発明和紙を不燃ノリを用いて、厚重ねし、これらに貼り付けた所、ピストル、機関銃弾、砲戦、火炎放射器、レーザー光線等を貫通しない防護紙類となるなる物であり、（特願２００４−３１４７９６、盗聴コンウィルス防止器参照）研究実験を得るべく
【００３４】  筆者はインド、アフリカ暑地、長期滞在時、車上生活を長くし、本発明、厚重ねの防護紙で車両の鉄板部を覆い、カーテンを作り、そこに生活圏を作った所、車両の鉄板を日照熱から守り、車両本体、生活空間、車両搭載電子器機の保護に役立つ物となった。即ち、この和紙貼付間に隙間があり、これに光粒子を通過させる要因がある時、和紙は、脆くも、酸化、若しくは、光粒子（爆）燃発火現象を起こす所となった。
【産業上の利用可能性】
【００３５】  かつて、米、ニューヨークを観光の為、視察滞在した事があった。人々の日常の着衣する襟カラーの色合いを見た。そして夜るになると、爆竹の音がしていた。「発砲事件だ！治安が悪い。外に出ないで下さい。」と人々が話しをしていた。日本に居た時には、考えられない事であった。当時、日本は一億二千万人総中流意識だったからであった。筆者は、柔道、空手、剣道の有段であり、銃を向けられても防護具が手軽であり、手短な所にあれば対応できる。と考えた。【００３６】  しかしながら、これを、世界的によく知られており、あまり知られていない日本の和紙（一万円札）で製作した時、その丈夫さは、例いバズーカー砲の弾丸さへ貫通させず、レーザービーム、機関砲弾、火炎放射の炎さへ受け付けない強尽な物である事を発見し、π３．１４の円周曲面線を持つ塩化ビニールパイプに貼り付けた時、意外な効果がある事を見い出し、これらの物は低コスト、大量生産が可能になるものであって、本論文に示される大概の武具に対して、バリアールーフとしての活用と目的を得る物となり、剣道の防具に用いた場合、安価格防具を大量生産できる（本図１参照）所、日本の剣道発展に多いに貢献でき、軍隊（自衛隊）盾に用いた時、その軽量物にある安価大量製産を可能とし、防弾チョッキにも使用できる時、治安の悪さは、やがて日本にも上陸していた。これを以って産業上利用の価値は極めて高いものとなった。
【図面の簡単な説明】
【００３７】
【図１】  日本の剣道の防具を比較的大きめの塩化ビニール管をスクラップ（部品）にして、厚生地でつなぎ合わせて、製作する他、これに和紙若しくは、特殊紙を貼り合わせて作る時、防弾衣となり、土方に用いる、ヘルメットにこれらスクラップを以って、取りつなぎ兜を製作し、上下を製作し、好みのペイントをする時、日本をして、中世時代の鎧兜及び盾とそっくりの物品が出来る事を示している。
【００３８】
【図２】  戦車の弱点である、ターン、テーブル、キャタピラーを本発明品の盾が、火炎ビン、対戦車砲からこれを守っている図と、前戦地において、本発明盾が、機関銃弾を外き返えしている図。そして、盾不要時には、これが、砲弾除け、（テント）になっている事を示している図であった。
【附号の説明】
１、剣道防具の胴（前）。２、剣道防具の胴（後）３、剣道防具の小脇（胴前と胴後の繋）。４、剣道防具の肩当。５、剣道防具の肩当て、（鎖）キジ繋ぎ。（鎖で繋いでもよい。）
2006289042.tif 000006
１１、草摺（後）。１２、上下小手繋鎖。１３、ひじ当。１４、防弾チョッキ正面図。１５、防弾チョッキ前、後、開閉図。１６、３．１４π線面を持つ塩化ビニール。１７、防弾チョッキの内側、腹部、背部に必要に応じ、弾丸の貫通しないだけの絶対数の和紙（一万円札素材紙）を厚重ねにして入れる。１８、既市販されている土方ヘルメット。１９、シコロ、剣道後頭防具、別特願：２００３−４３６３０８号、兜型ヘルメット参照）。２０、面（顔面防具、２００３−４３６３０８号）２１、眼面防具（強化プラスチック、２００３−４３６３０８号）２２、金網眼面防具。２３、π３．１４線面を持つ強化プラスチック。２４、必要に応じ弾丸を貫通しないだけの絶対数の和紙。２５、盾重ね吊り具。２６、テント取付け穴。２７、テント  ２８、特殊警棒式、盾立器。２９、ターン、テーブル。３０、キャタピラー駆動機（オイル、パイプがある為、燃え易い。）。３１、塹壕。３２、対戦車砲、３３生活用水。３４、盾を生活用水入れにする為の強化プラスチックノリ。３５、３．１４πを持つ盾を容器にする素材。３６、対戦車砲弾。３７、破弾。３８、和紙。３９、爆発４０、盾脚４１  軍法論理学、小学、陸上戦にある戦車機甲隊に護衛歩兵付の義務においては、戦車のアキレス腱にある火炎ビ攻撃にあった際、一般人には、あまり、知られてはいない強緊に見える戦車のターンテーブル、キャタピラー駆動部に火炎ビンを打ち付けられると、詭くも戦車は大破してしまう欠点から、この部位に本発明される、強化プラスチック、塩ビ製盾を重ね掛けして移動すると、この危険から守られ、野営地において、バリケードになるものであった。４２、塩ビ管を切って製作する肩当。４３、塩ビ管を切って製作する胴（前）。４４、塩ビ管を切って製作する銅（後）。４５、塩ビ管を切って製作する盾。４６、塩ビ管を切って製作する突き防止板。４７、徽象。４８、剣道使用時、ヘルメットを保護するバンパー。４９、厚生地。
【手続補正２】
【補正対象書類名】図面
【補正対象項目名】全図
【補正方法】変更
【補正の内容】
【図１】
2006289042.tif 000007
【図２】
2006289042.tif 000008